(57)【要約】【課題】ドレン水の排出作業を簡易なものとすること。【解決手段】収容室１０ａで生じたドレン水を貯留するためのドレン皿４１と、ドレン皿４１に貯留されるドレン水が予め決められた基準量以上となったことを検知するフロートスイッチ４２とを備えたドレン水処理装置４０であって、機械室１０ｂにおいて機械室開口３０を通じて前後方向に沿って移動可能に設けられ、かつ上面にドレン皿４１を載置するドレン台４４と、フロートスイッチ４２とドレン台４４とを連係し、かつドレン台４４が待機位置Ｐ１にいる場合には、フロートスイッチ４２を検知状態にさせ、ドレン台４４が待機位置Ｐ１から取出位置Ｐ２に向かって移動する場合には、ドレン台４４の移動量に応じてフロートスイッチ４２を上方に向けて退避移動させるリンク機構４３を備えている。【選択図】図３
2017029385.tif 000002
【特許請求の範囲】
【請求項１】
商品を収容する収容室で生じたドレン水を貯留するためのドレン皿と、
前記ドレン皿に貯留されるドレン水が予め決められた基準量以上となったことを検知するフロートスイッチと
を備えたドレン水処理装置であって、
前記収容室の下部の機械室において該機械室の前面開口を通じて前後方向に沿って移動可能に設けられ、かつ上面に前記ドレン皿を載置するドレン台と、
前記フロートスイッチと前記ドレン台とを連係し、かつ前記ドレン台が最も後方側となる待機位置にいる場合には、前記フロートスイッチを前記ドレン皿の底部と上部との間に位置させて検知状態にさせる一方、前記ドレン台が前記待機位置から前方の取出位置に向かって移動する場合には、該ドレン台の移動量に応じて前記フロートスイッチを前記ドレン皿の上方に向けて退避移動させるリンク機構と
を備えたことを特徴とするドレン水処理装置。
【請求項２】
前記ドレン台は、前記待機位置にいる場合に、前記機械室の前面開口が閉塞されることを許容することを特徴とする請求項１に記載のドレン水処理装置。
【請求項３】
前記リンク機構は、前記ドレン台が前記取出位置から前記待機位置に向かって移動する場合には、該ドレン台の移動量に応じて前記フロートスイッチを下方に向けて進出移動させることを特徴とする請求項１又は請求項２に記載のドレン水処理装置。
【請求項４】
前記リンク機構は、
一端が前記ドレン台に接続され、かつ他端が前記フロートスイッチに接続された索条体と、
前記索条体をその延在方向に沿って変位可能に支持する滑車と
を備えたことを特徴とする請求項１〜３のいずれか１つに記載のドレン水処理装置。
【請求項５】
前記ドレン台は、前記待機位置と前記取出位置との間で移動する場合に、自身を略水平に支持する支持部を備えたことを特徴とする請求項１〜４のいずれか１つに記載のドレン水処理装置。
【発明の詳細な説明】
【技術分野】
【０００１】
本発明は、ドレン水処理装置に関し、より詳細には、収納対象となる商品を所望の温度状態に保持するショーケースに適用されるドレン水処理装置に関するものである。
【背景技術】
【０００２】
従来、ショーケースに適用されるドレン水処理装置として、ドレン皿を備えたものが知られている。ドレン皿は、商品の収容する収容室の下部の機械室に載置されており、収容室で生じたドレン水を貯留するものである。ドレン皿に貯留されたドレン水は、ドレン皿の底部に立設されたドレンシートにより毛管現象により吸引され、ドレンシートの周囲を通過する空気によって蒸発して処理される（例えば、特許文献１参照）。
【先行技術文献】
【特許文献】
【０００３】
【特許文献１】特開平７−１３３９７７号公報
【発明の概要】
【発明が解決しようとする課題】
【０００４】
ところで、上述した特許文献１には明示されていないが、ドレン水処理装置においてはフロートスイッチが設けられているのが一般的である。フロートスイッチは、ドレン皿に貯留されるドレン水が予め決められた基準量以上となることを検知するものである。このフロートスイッチは、ドレン皿の上部と底部との間に位置する検知状態と、ドレン皿の上部より上方側に退避した退避状態との間で変位可能なものである。
【０００５】
このフロートスイッチがドレン皿に貯留されるドレン水が基準量以上と検知した場合には、ブザー音等の報知手段を通じてドレン皿に貯留されたドレン水が略満杯であることを報知する。これにより作業者は、機械室の前面開口を閉塞するキックプレートを取り外し、フロートスイッチを退避状態にさせながら前面開口を通じてドレン皿を機械室から離脱させ、ドレン水を排出する。その後に、フロートスイッチを再び退避状態にさせながらドレン皿を機械室の所定の位置に載置させ、フロートスイッチを検知状態にセットしてからキックプレートを装着して機械室の前面開口を閉塞する。
【０００６】
このようにドレン皿を機械室から離脱させる際には、フロートスイッチを片手で退避状態に維持しながらもう一方の片手で離脱を行う必要があり、その後にドレン皿を機械室に設置させる際には、フロートスイッチを片手で退避状態に維持しながらもう一方の片手で設置を行う必要があり、ドレン水の排出作業が煩雑なものとなっていた。
【０００７】
本発明は、上記実情に鑑みて、ドレン水の排出作業を簡易なものとすることができるドレン水処理装置を提供することを目的とする。
【課題を解決するための手段】
【０００８】
上記目的を達成するために、本発明に係るドレン水処理装置は、商品を収容する収容室で生じたドレン水を貯留するためのドレン皿と、前記ドレン皿に貯留されるドレン水が予め決められた基準量以上となったことを検知するフロートスイッチとを備えたドレン水処理装置であって、前記収容室の下部の機械室において該機械室の前面開口を通じて前後方向に沿って移動可能に設けられ、かつ上面に前記ドレン皿を載置するドレン台と、前記フロートスイッチと前記ドレン台とを連係し、かつ前記ドレン台が最も後方側となる待機位置にいる場合には、前記フロートスイッチを前記ドレン皿の底部と上部との間に位置させて検知状態にさせる一方、前記ドレン台が前記待機位置から前方の取出位置に向かって移動する場合には、該ドレン台の移動量に応じて前記フロートスイッチを前記ドレン皿の上方に向けて退避移動させるリンク機構とを備えたことを特徴とする。
【０００９】
また本発明は、上記ドレン水処理装置において、前記ドレン台は、前記待機位置にいる場合に、前記機械室の前面開口が閉塞されることを許容することを特徴とする。
【００１０】
また本発明は、上記ドレン水処理装置において、前記リンク機構は、前記ドレン台が前記取出位置から前記待機位置に向かって移動する場合には、該ドレン台の移動量に応じて前記フロートスイッチを下方に向けて進出移動させることを特徴とする。
【００１１】
また本発明は、上記ドレン水処理装置において、前記リンク機構は、一端が前記ドレン台に接続され、かつ他端が前記フロートスイッチに接続された索条体と、前記索条体をその延在方向に沿って変位可能に支持する滑車とを備えたことを特徴とする。
【００１２】
また本発明は、上記ドレン水処理装置において、前記ドレン台は、前記待機位置と前記取出位置との間で移動する場合に、自身を略水平に支持する支持部を備えたことを特徴とする。
【発明の効果】
【００１３】
本発明によれば、フロートスイッチと、ドレン皿を載置するドレン台とを連係するリンク機構が、ドレン台が待機位置にいる場合には、フロートスイッチを検知状態にさせる一方、ドレン台が待機位置から取出位置に向かって移動する場合には、該ドレン台の移動量に応じてフロートスイッチをドレン皿の上方に向けて退避移動させるので、作業者はドレン台を取出位置に向けて移動させれば、フロートスイッチを退避状態に維持させるような操作を行う必要がなく、ドレン皿を機械室から容易に取り出すことができる。従って、ドレン水の排出作業を簡易なものとすることができるという効果を奏する。
【図面の簡単な説明】
【００１４】
【図１】図１は、本発明の実施の形態であるドレン水処理装置が適用されたショーケースの内部構造を示す断面側面図である。
【図２】図２は、図１に示した下方ダクトを拡大して示す断面図である。
【図３】図３は、図１に示したドレン水処理装置を拡大して示す断面図である。
【図４】図４は、図１に示したドレン水処理装置の要部を前方から見た場合を示す断面図である。
【図５】図５は、下方ダクトを拡大して示す断面図である。
【図６】図６は、下方ダクトを拡大して示す断面図である。
【図７】図７は、ドレン水処理装置を拡大して示す断面図である。
【図８】図８は、ドレン水処理装置を拡大して示す断面図である。
【図９】図９は、ドレン水処理装置を拡大して示す断面図である。
【図１０】図１０は、ドレン水処理装置の変形例を拡大して示す断面図である。
【図１１】図１１は、ドレン水処理装置の変形例を拡大して示す断面図である。
【発明を実施するための形態】
【００１５】
以下に添付図面を参照して、本発明に係るドレン水処理装置の好適な実施の形態について詳細に説明する。
【００１６】
図１は、本発明の実施の形態であるドレン水処理装置が適用されたショーケースの内部構造を示す断面側面図である。ここで例示するショーケースは、ケース本体１０を備えている。
【００１７】
ケース本体１０は、略直方状の筐体であり、断熱構造を有する収容室１０ａと、該収容室１０ａの下方域に設けられた機械室１０ｂとを備えている。収容室１０ａは、前面開口１１が形成され、その内部には収納室１２が画成してあるとともに、空気循環手段２０が設けてある。
【００１８】
収納室１２は、上記前面開口１１を臨む態様で画成された室であり、複数の商品陳列棚１３が上下方向に沿って複数段並べて配設してあるとともにデッキ１４が配設してある。商品陳列棚１３は、それぞれ商品を載置して陳列するものである。
【００１９】
デッキ１４は、収納室１２の底部を構成するものである。このデッキ１４は、後端部が、収納室１２の背面を構成する背面パネル１５の下部に載置されるとともに、左右両端部が、後述する下方ダクト２１ａの左右両側部の上端に載置されることで、着脱可能に配設してある。このデッキ１４は、上記商品陳列棚１３と同様に、商品を載置して陳列するものである。
【００２０】
空気循環手段２０は、空気通路２１と循環ファン２２とを備えて構成してある。空気通路２１は、吸込口２３から吹出口２４に至る空気の通路である。ここで吸込口２３は、収納室１２の内部の空気を吸い込むための開口であり、収納室１２の左右方向に沿って延設してある。この吸込口２３は、収納室１２の下側前方縁部、すなわちデッキ１４の前方側に形成してある。
【００２１】
吹出口２４は、収納室１２の内部に空気を吹き出すための開口であり、収納室１２の左右方向に沿って延設してある。この吹出口２４は、収納室１２の上側前方縁部、すなわちケース本体１０の前面開口１１近傍の上部に形成してある。
【００２２】
このような空気通路２１は、収納室１２の外部であってその下方にある下方ダクト２１ａと、収納室１２の外部であってその背面側にある背面ダクト２１ｂと、収納室１２の外部であってその上方にある上方ダクト２１ｃとが互いに連通されることで構成してある。
【００２３】
上記下方ダクト２１ａの底部を構成する断熱底部２５において、最も高さレベルが低くなる部位には、図２に示すようにドレンパイプ２６が形成してある。
【００２４】
ドレンパイプ２６は、断熱底部２５を上下方向に沿って貫通する態様で形成してある。このドレンパイプ２６の上部側開口は入口となっており、当該入口が下方ダクト２１ａに連通している。一方、ドレンパイプ２６の下部側開口は出口となっている。このようなドレンパイプ２６は、入口から導入したドレン水を通過させて出口より排出するものである。また、かかるドレンパイプ２６には、ドレン水以外の異物の侵入を抑制するためにドレンキャップ２７が設けてある。
【００２５】
循環ファン２２は、空気を循環させるものであり、下方ダクト２１ａと背面ダクト２１ｂとが連通するコーナー部分Ｓに左右一対となる態様で設置してある。
【００２６】
このような空気循環手段２０においては、循環ファン２２が駆動することにより吸込口２３を通じて収納室１２の内部の空気を吸い込み、吸い込んだ空気が空気通路２１を通過する態様で該空気を吹出口２４まで送出し、吹出口２４を通じて空気を収納室１２の内部に吹き出させることにより、収納室１２の内部と外部との間で空気を循環させるものである。
【００２７】
上記空気通路２１の背面ダクト２１ｂには、蒸発器２８が設けてある。蒸発器２８は、機械室１０ｂに設けられた図示せぬ圧縮機や凝縮器等の冷凍機器とともに冷媒を循環させる冷媒循環手段を構成している。ここで圧縮機は、冷媒を圧縮するものであり、凝縮器は、圧縮機で圧縮された冷媒を凝縮させるものである。この凝縮器で凝縮した冷媒は、膨張機構で断熱膨張されて低温低圧の状態にされる。
【００２８】
蒸発器２８は、循環ファン２２が駆動することにより背面ダクト２１ｂを下方から上方に向けて通過する空気と、膨張機構で断熱膨張された冷媒とを熱交換させるもの、より詳細には、冷媒を蒸発させることにより背面ダクト２１ｂ（空気通路２１）を通過する空気を冷却するものである。この蒸発器２８で蒸発した冷媒は、再び圧縮機に戻り圧縮されることになる。
【００２９】
ところで、上記背面パネル１５は、上記コーナー部分Ｓに近接し、かつ上記デッキ１４の後端部を載置するパネル下端部１５ａと、それ以外のパネル本体部１５ｂとを有している。そして、パネル下端部１５ａは、パネル本体部１５ｂから分離してケース本体１０に着脱可能に設けてある。
【００３０】
機械室１０ｂは、前面に機械室開口３０が形成してある。この機械室開口３０はキックプレートＫＰにより開閉されるものである。すなわち、キックプレートＫＰが装着された場合には、機械室開口３０が閉塞される一方、キックプレートＫＰが取り外された場合には、機械室開口３０が開放されるものである。
【００３１】
この機械室１０ｂには、上記圧縮機等以外にドレン水処理装置４０が設けてある。図３は、図１に示したドレン水処理装置４０を拡大して示す拡大断面図である。この図３にも示すように、ドレン水処理装置４０は、ドレン皿４１と、フロートスイッチ４２と、リンク機構４３とを備えて構成してある。
【００３２】
ドレン皿４１は、上記ドレンパイプ２６を通じて排出されたドレン水を貯留するためのものである。このドレン皿４１には、ドレンシート４１１が立設してある。ドレンシート４１１は、ドレン皿４１に貯留されたドレン水を毛管現象により吸引するもので、ドレン水の蒸発面積の増大化によりドレン水の蒸発を促進させるためのものである。このようなドレン皿４１は、機械室１０ｂに設けられたドレン台４４に載置されている。
【００３３】
ドレン台４４は、図４に示すように、平板状の基部４４１と、基部４４１の左右両端部より下方に向けて延在する下延部４４２とを備えて構成してある。このドレン台４４は、機械室１０ｂに設けられたレール片３１に基部４４１が載置されることで設けてある。ここでレール片３１は、前後方向が長手方向となる左右一対の長尺状部材であって、機械室１０ｂの底部３２より上方に突出している。かかるレール片３１の上端面に基部４４１の下面が接するよう該レール片３１に載置されることにより、ドレン台４４は、左右方向の移動が下延部４４２により規制されつつ前後方向に沿って移動可能である。つまり、ドレン台４４は、図３に示すように最も後方側となる待機位置Ｐ１と、該待機位置Ｐ１よりも前方側の取出位置Ｐ２（図８参照）との間で前後方向に沿って移動可能である。そして、ドレン台４４は、基部４４１の上面にドレン皿４１を載置している。
【００３４】
フロートスイッチ４２は、従来公知のものである。このフロートスイッチ４２は、ドレン皿４１の内部にいる場合、すなわちドレン皿４１の上部と底部との間にいる場合には、ドレン皿４１の底部より所定の高さに位置することとなる。そのため、フロートスイッチ４２は、ドレン皿４１に貯留されたドレン水の水面高さが所定高さ以上となる場合には、水があることを検知することとなる。これにより、フロートスイッチ４２は、ドレン皿４１に貯留されるドレン水が予め決められた基準量以上であることを検知するものである。
【００３５】
リンク機構４３は、ワイヤケーブル（索条体）ＷＣを備えている。ワイヤケーブルＷＣは、ドレン台４４とフロートスイッチ４２とを連結するものである。より詳細には、ワイヤケーブルＷＣは、一端がドレン台４４の基部４４１の後端部に接続してあり、他端がフロートスイッチ４２に接続してある。このようなワイヤケーブルＷＣは、複数（図示の例では３つ）の滑車４３ａ，４３ｂ，４３ｃの周面に架け渡されている。ここで滑車４３ａ，４３ｂ，４３ｃは、従来公知のもので、自身の中心軸回りに回転可能なものである。これら滑車４３ａ，４３ｂ，４３ｃは、それぞれが回転することにより、ワイヤケーブルＷＣをその延在方向に沿って変位させるものである。尚、これら滑車４３ａ，４３ｂ，４３ｃの配設位置であるが、第１の滑車４３ａは、ドレン台４４の後方側に配設してあり、第２の滑車４３ｂは、第１の滑車４３ａの上方側に配設してある。そして、第３の滑車４３ｃは、第２の滑車４３ｂの前方側に配設してある。
【００３６】
このようなリンク機構４３は、ドレン台４４が待機位置Ｐ１にいる場合には、フロートスイッチ４２をドレン皿４１の底部と上部との間に位置させて検知状態にさせるものである。
【００３７】
以上のような構成を有するショーケースにおいては、循環ファン２２がコーナー部分Ｓに設置してあるので、図５に示すように、デッキ１４を取り外すことにより、循環ファン２２に干渉しないで、下方ダクト２１ａの底部（断熱底部）２５やドレンパイプ２６の清掃を行うことができる。
【００３８】
また上記ショーケースにおいては、背面パネル１５におけるパネル下端部１５ａがパネル本体部１５ｂから分離してケース本体１０に着脱可能に設けてあるので、デッキ１４を取り外した状態から図６に示すようにパネル下端部１５ａを取り外すことにより、コーナー部分Ｓを露出させることができ、これによりコーナー部分Ｓに設置された循環ファン２２の交換作業等を行うことができる。
【００３９】
上記ドレン水処理装置４０においては、ドレン台４４が待機位置Ｐ１にいる場合において、リンク機構４３がフロートスイッチ４２をドレン皿４１の底部と上部との間に位置させて検知状態にさせるので、ドレン皿４１に貯留されるドレン水が予め決められた基準量以上となったか否かを検知することができる。
【００４０】
そして、フロートスイッチ４２が、ドレン水が予め決められた基準量以上となったことを検知した場合、ドレン水処理装置４０は、ドレン皿４１に貯留されたドレン水を次のようにして排出させることができる。
【００４１】
まず、キックプレートＫＰを取り外して機械室１０ｂの機械室開口３０を開放させる。次に、作業者の手指等によりドレン台４４の前端部を把持させ、図７に示すように前方に向けてドレン台４４を移動させる。
【００４２】
このようにドレン台４４が前方に向かって移動することで、該ドレン台４４に接続されるワイヤケーブルＷＣがドレン台４４に引っ張られ、これにより各滑車４３ａ，４３ｂ，４３ｃが右側からみて時計回りに回転してワイヤケーブルＷＣが変位する。この結果、リンク機構４３は、ドレン台４４の移動量に応じてフロートスイッチ４２を上方に向けて退避移動させる。これにより、フロートスイッチ４２と、ドレン皿４１及びドレンシート４１１とが衝突することを回避できる。
【００４３】
そして、図８に示すように、ドレン台４４が取出位置Ｐ２まで移動することで、ドレン皿４１は、機械室開口３０を貫通した状態となり、前方側がケース本体１０の外部に露出された状態となる。ここで、取出位置Ｐ２は、フロートスイッチ４２が第３の滑車４３ｃに最も近接してそれ以上は該滑車４３ｃに近接できない場合におけるドレン台４４の位置である。つまり、前方に向けて移動するドレン台４４の移動限界位置である。
【００４４】
このようにドレン台４４が取出位置Ｐ２まで移動することで、作業者はドレン皿４１をドレン台４４から取り出し、ドレン皿４１に貯留されたドレン水を排出することができる。
【００４５】
その後、ドレン水を排出したドレン皿４１を、図９に示すように、取出位置Ｐ２にあるドレン台４４の上面に載置し、ドレン台４４を待機位置Ｐ１に向けて後方に移動させる。
【００４６】
このようにドレン台４４が後方に向かって移動することで、各滑車４３ａ，４３ｂ，４３ｃが右側からみて反時計回りに回転してワイヤケーブルＷＣが変位する。この結果、リンク機構４３は、ドレン台４４の移動量に応じてフロートスイッチ４２を下方に向けて進出移動させる。そして、ドレン台４４が待機位置Ｐ１に移動したときには、図３に示すようにフロートスイッチ４２を検知状態にさせることができる。その後、機械室１０ｂの機械室開口３０をキックプレートＫＰで閉塞することにより元の状態に戻すことができる。つまり、ドレン台４４は、待機位置Ｐ１にいる場合に、機械室開口３０が閉塞されることを許容している。
【００４７】
以上説明したように、上記ショーケースによれば、循環ファン２２がコーナー部分Ｓに設置され、かつ背面パネル１５のパネル下端部１５ａがパネル本体部１５ｂと分離して着脱可能であるので、循環ファン２２の交換作業を容易なものとしつつ、下方ダクト２１ａの底部の清掃を簡単なものとすることができる。
【００４８】
また、上記ドレン水処理装置４０によれば、ドレン皿４１を載置するドレン台４４が待機位置Ｐ１にいる場合には、フロートスイッチ４２を検知状態にさせる一方、ドレン台４４が待機位置Ｐ１から取出位置Ｐ２に向かって移動する場合には、ドレン台４４の移動量に応じてフロートスイッチ４２をドレン皿４１の上方に向けて退避移動させるので、作業者はドレン台４４を前方に移動させれば、フロートスイッチ４２を退避状態に維持させるような操作を行う必要がなく、ドレン皿４１を機械室１０ｂから容易に取り出すことができる。従って、ドレン水の排出作業を簡易なものとすることができる。
【００４９】
特に、上記ドレン水処理装置４０によれば、取出位置Ｐ２にいるドレン台４４を待機位置Ｐ１に向けて後方に移動させればフロートスイッチ４２を下方に向けて進出移動させることができ、これによりドレン台４４が待機位置Ｐ１に位置することでフロートスイッチ４２を検知状態に戻すことができる。従って、フロートスイッチ４２を検知状態にさせないでキックプレートＫＰを装着してしまうことを回避することができる。
【００５０】
以上、本発明の好適な実施の形態について説明したが、本発明はこれに限定されるものではなく、種々の変更を行うことができる。
【００５１】
本発明においては、図１０に示すように、ドレン台４４の基部４４１の下面に支持部４５を設けてもよい。支持部４５は、左右方向に沿って延在する軸部４５１と、この軸部４５１の径方向外部に向けて延在する平板状のヒレ部４５２とを備えて構成してある。
【００５２】
このような支持部４５は、ドレン台４４の基部４４１の下面より下方に向けて突出する態様で設けられた左右一対の支持片４６間において、軸部４５１の両端部が支持片４６の貫通孔（図示せず）を貫通して軸支されることで、軸部４５１の中心軸回りに揺動可能なものである。
【００５３】
かかる支持部４５は、図１１に示すように、ドレン台４４が取出位置Ｐ２まで移動する場合に、ヒレ部４５２の先端がケース本体１０が設置された床５０に当接して、ドレン台４４を略水平に支持するものである。
【００５４】
このような構成によれば、ドレン台４４が取出位置Ｐ２にいる場合にもドレン台４４自身を略水平に維持することができ、ドレン皿４１に貯留されたドレン水がドレン皿４１から溢れてしまうことを抑制することができる。
【００５５】
上述した実施の形態では、リンク機構４３は、ワイヤケーブルＷＣと３つの滑車４３ａ，４３ｂ，４３ｃとを備えて構成されていたが、本発明においては、ドレン台４４が待機位置Ｐ１にいる場合には、フロートスイッチ４２を検知状態にさせる一方、ドレン台４４が待機位置Ｐ１から取出位置Ｐ２に向かって移動する場合には、ドレン台４４の移動量に応じてフロートスイッチ４２を退避移動させることができれば、その構成は特に限定されるものではない。
【符号の説明】
【００５６】
１０  ケース本体
１０ａ  収容室
１０ｂ  機械室
１１  前面開口
１２  収納室
１３  商品陳列棚
１４  デッキ
１５  背面パネル
１５ａ  パネル下端部
１５ｂ  パネル本体部
２０  空気循環手段
２１  空気通路
２１ａ  下方ダクト
２１ｂ  背面ダクト
２１ｃ  上方ダクト
２２  循環ファン
２３  吸込口
２４  吹出口
２５  断熱底部
２６  ドレンパイプ
２７  ドレンキャップ
２８  蒸発器
３０  機械室開口
３１  レール片
４０  ドレン水処理装置
４１  ドレン皿
４２  フロートスイッチ
４３  リンク機構
４３ａ  滑車
４３ｂ  滑車
４３ｃ  滑車
４４  ドレン台
４４１  基部
４４２  下延部
ＫＰ  キックプレート
Ｓ  コーナー部分
Ｐ１  待機位置
Ｐ２  取出位置
ＷＣ  ワイヤケーブル
【図１】
2017029385.tif 000003
【図２】
2017029385.tif 000004
【図３】
2017029385.tif 000005
【図４】
2017029385.tif 000006
【図５】
2017029385.tif 000007
【図６】
2017029385.tif 000008
【図７】
2017029385.tif 000009
【図８】
2017029385.tif 000010
【図９】
2017029385.tif 000011
【図１０】
2017029385.tif 000012
【図１１】
2017029385.tif 000013